(57)【特許請求の範囲】
【請求項１】
合成樹脂の成形品である収納キャビネットに前方が開口する収納部を設け、収納部の対向する内壁部に内方及び前方に開口する嵌め込み溝部を形成し、嵌め込み溝部の底部に被係止部を設け、下面部の両端部に係止部を有する棚板を嵌め込み溝部にスライド自在に嵌め込み、係止部を被係止部に係止して成るものであって、嵌め込み溝部の底部に上方に突部を突設して被係止部を構成し、棚板の下面部に上方に向けて凹んだ凹部を設けて該凹部により係止部を構成し、凹部の後端縁部に棚板の下面部より下方に突出した下向き突起を形成して係止部を被係止部に係止した状態で下向き突起が突部の突出基部に近接対向するように構成し、嵌め込み溝部の底部の全長を前方側ほど下となるように下り傾斜して嵌め込み溝部の全長を前方の入口側に行くほど上下溝巾を広くしたことを特徴とする収納キャビネットの棚板取付け構造。
【請求項２】
棚板の前端部に棚板を嵌め込み溝部に嵌め込んだ状態で嵌め込み溝部の前方の入口を覆い隠すためのカバー用突出部を設けて成ることを特徴とする請求項１記載の収納キャビネットの棚板取付け構造。
【発明の詳細な説明】
【０００１】
【発明の属する技術分野】
本発明は、浴室ユニットなどの壁の一部として組み込まれる収納キャビネットに棚板を取付ける技術に関するものである。
【０００２】
【従来の技術】
従来から浴室ユニットなどの水廻り部分において壁の一部として収納キャビネットを設ける場合がある。この収納キャビネットは合成樹脂の一体成形品により構成してあって前方が開口する収納部を設けてある。収納部には上下を仕切るために棚板が着脱自在に設置されるが、従来にあっては、収納部の側壁部にダボを取付け、このダボに棚板を着脱自在に載置していた。
【０００３】
ところが、収納部の側壁部にダボを取付けるには、ダボの後端部にねじ部を設けて、該ねじ部を収納部の側壁部に螺合することによりダボを取付けているが、これだと、収納キャビネットが合成樹脂の一体成形品であるため、収納部の側壁部分の厚みが比較的薄く、このため、ねじ部が収納部の側壁を貫通してしまっていた。
【０００４】
そして、ねじ部が収納部の側壁を貫通してしまうとこの部分から浴室ユニット等の水を使用する空間から水が外に漏れ出るという問題があった。
【０００５】
【発明が解決しようとする課題】
本発明は上記の点に鑑みてなされたものであり、棚板を着脱自在に取付ける構造が簡単に構成できるとともに棚板を支持する部分からの水漏れを防止することができ、また、簡単な構成で棚板が前方に抜けないようにでき、更に、棚板の嵌め込み溝部への取付け、取り出しが容易に行え、更に、棚板を取付けた状態で嵌め込み溝部の入口を遮蔽して収まりをよくすることができる収納キャビネットの棚板取付け構造を提供することを課題とするものである。
【０００６】
【課題を解決するための手段】
上記課題を解決するために本発明に係る収納キャビネットの棚板取付け構造は、合成樹脂の成形品である収納キャビネット１に前方が開口する収納部２を設け、収納部２の対向する内壁部３に内方及び前方に開口する嵌め込み溝部４を形成し、嵌め込み溝部４の底部に被係止部５を設け、下面部の両端部に係止部６を有する棚板７を嵌め込み溝部４にスライド自在に嵌め込み、係止部６を被係止部５に係止して成るものであって、嵌め込み溝部４の底部に上方に突部５ａを突設して被係止部５を構成し、棚板７の下面部に上方に向けて凹んだ凹部６ａを設けて該凹部６ａにより係止部６を構成し、凹部６ａの後端縁部に棚板７の下面部より下方に突出した下向き突起８を形成して係止部６を被係止部５に係止した状態で下向き突起８が突部５ａの突出基部に近接対向するように構成し、嵌め込み溝部４の底部の全長を前方側ほど下となるように下り傾斜して嵌め込み溝部４の全長を前方の入口側に行くほど上下溝巾を広くしたことを特徴とするものである。このように、合成樹脂製の成形品である収納キャビネット１の収納部２の内壁部３に設けた嵌め込み溝部４に棚板７を嵌め込むことで棚板７を取付けることができるので、従来のダボによる棚板の支持のようにダボ取付け部分から水が外に漏れるというようなおそれがないものであり、しかも、係止部６を被係止部５に係止することで棚板７が不測に前方に抜け落ちるのを防止することができるものである。ここで、本発明においては、嵌め込み溝部４の底部から上方に突部５ａを突設して被係止部５を構成し、係止部６を棚板７の下面部に上方に向けて凹んだ凹部６ａを設けて該凹部６ａにより係止部６を構成するので、簡単な構成で被係止部５、係止部６を構成することができ、また、凹部６ａの後端縁部に棚板７の下面部よりも下方に突出した下向き突起８を形成して係止部６を被係止部５に係止した状態で下向き突起８が突部５ａの突出基部に近接対向するように構成するので、係止部６を構成する凹部６ａが被係止部５を構成する突部５ａに係止するのに加えて下向き突起８が突部５ａの突出基部に当たって抜け止めすることになって、より確実な抜け止めがなされ、また、嵌め込み溝部４を前方の入口側にいくほど上下溝巾を広くするので、嵌め込み溝部４の前方の入口から棚板７を嵌め込むに当たって上下巾の広い入口から嵌め込み溝部４内に嵌め込むことができて、スムーズに棚板７を嵌め込み溝部４に嵌め込むことができることになる。特に、棚板７を嵌め込み溝部４内に入口から差し込んで係止部６と被係止部５とを係止するようにしたものにおいては、嵌め込み溝部４を前方の入口側にいくほど上下溝巾を広くすることで、スムーズに棚板７を嵌め込んで係止部６を被係止部５に係止することができることになる。
【０００７】
また、棚板７の前端部に棚板７を嵌め込み溝部４に嵌め込んだ状態で嵌め込み溝部４の前方の入口を覆い隠すためのカバー用突出部９を設けることが好ましい。このような構成とすることで、嵌め込み溝部４の前方の入り口をカバー用突出部９により覆い隠すことができ、また、棚板７の嵌め込みを容易にするために嵌め込み溝部４の入り口側の上下巾を広くしたものにおいては嵌め込み溝部４の入り口における隙間をカバー用突出部９により確実に覆い隠すことができるものである。
【０００８】
【発明の実施の形態】
以下、本発明を添付図面に示す実施形態に基づいて説明する。
【０００９】
収納キャビネット１は合成樹脂により一体成形した成形品であり、図５に示すように浴室ユニット１０の壁の一部を構成するようになっており、収納キャビネット１の後部が壁パネル１１の後面よりも外方（つまり浴室ユニット１０の外方）に突出している。
【００１０】
合成樹脂製により一体に形成した成形品である収納キャビネット１には前方が開口する収納部２が設けてある。収納部２の対向する内壁部３に内方及び前方に開口する嵌め込み溝部４が収納部２内の前後方向の略全長にわたって形成してある。この嵌め込み溝部４も収納キャビネット１を合成樹脂により形成する際に一体に形成されたものである。嵌め込み溝部４は図２に示すように、前方の入口側にいくほど上下溝巾が広くなるように形成してある。ここで、嵌め込み溝部４の底部は前方側ほど下となるような緩やかな下り傾斜となっている。また、嵌め込み溝部４の底部の前後方向の後部には上方に向けて突部５ａを突設して被係止部５を構成してある。突部５ａは両側が傾斜した山形形状をしている。
【００１１】
棚板７は下面部の両端部に上方に向けて凹んだ凹部６ａを設けてあってこの凹部６ａにより係止部６を構成してある。この凹部６ａの後端縁部に棚板７の下面部よりも下方に突出した下向き突起８が設けてある。なお、棚板７下面部の両端部に設けた凹部６ａは棚板７下面部の両端部にわたるように巾方向の全長に形成してもよいものである。棚板７の前端部には少なくとも上方に向けてカバー用突出部９が突設してあり、このカバー用突出部９は棚板７の両端部だけでなく両端部にわたるように巾方向の全長に設けてあってもよい。
【００１２】
しかして、収納キャビネット１の収納部２内に棚板７を配設するにあたっては、棚板７の両端部を収納部２の対向する内壁部３に設けた嵌め込み溝部４に前方の入口部分から嵌め込んで取付けるものである。この場合、図３に示すように、前方ほど上下溝巾が広くなった嵌め込み溝部４の上面部に棚板７の上面を当接して沿わせながら挿入するものであり、これにより図３→図４のように下向き突起８が突部５ａに当たることなく突部８を越えて突部８の奧に位置させることができるものである。そして、棚板７を嵌め込み溝部４の最奧まで嵌め込むと、図１のように棚板７を嵌め込み溝部４の底部に沿うように下げることで、係止部６である凹部６ａが被係止部５である突部８に係止され、更に、下向き突起８が突部５ａの突出基部に近接対向する状態となる。この状態で棚板７を手前に引っ張っても、係止部６を構成する凹部６ａが被係止部５を構成する突部５ａに係止するのに加えて下向き突起８が突部５ａの突出基部に当たって抜け止めがなされて、不測に前方に抜け落ちることがないようになっている。
【００１３】
上記のようにして棚板７を嵌め込み溝部４に嵌め込んで収納部２内に配設して収納部２内を上下に仕切るのであるが、この棚板７を嵌め込み溝部４に嵌め込んで取付けた状態で、嵌め込み溝部４の前方の入口は巾広で棚板７の両端部上面と嵌め込み溝部４の入口の上面との間に大きな隙間が生じるが、本発明にあっては前述のように棚板７の前端部にカバー用突出部９を設けてあって、このカバー用突出部９により上記の入口部分に生じる隙間を隠して該隙間が外部に露出しないようになっている。
【００１４】
一方、棚板７を引き出す場合には、図１の状態から棚板７を上方に持ち上げて図４の状態とし、棚板７の上面を嵌め込み溝部４の上面に当接した状態で図３のように手前に引き出すことで下向き突起８を突部５ａに当たることなく突部８を越えて突部８の前に移動させて引き出すことができるものである。
【００１５】
そして、本発明においては、上記のように、合成樹脂製の収納キャビネット１の収納部２の内壁部３に内壁部３と一体に設けた嵌め込み溝部４に棚板７を嵌め込むことで棚板７を取付けるものであるから、従来のダボによる棚板の支持のようにダボ取付け部分から水が外に漏れるというようなおそれがないものである。
【００１６】
図５に示す実施形態においては浴室ユニット１０の一壁面に浴槽１５配置部分から及び洗い場１２に沿って横長の収納キャビネット１ａを配設してあり、横長の収納キャビネット１ａを配設した一壁面の洗い場部分には一壁面に沿って水栓金具１３を設けたカウンター１４が配設してある。また、このカウンター１４を配設した一壁面に直角に隣り合う洗い場１２の他の壁面にも別の収納キャビネット１ｂが配設してある。つまり、水栓金具１３を設けたカウンター１４の側方に収納キャビネット１ｂが配設してある。
【００１７】
ここで、水栓金具１３を設けたカウンター１４の側方に収納キャビネット１ｂの前面開口の一側縦縁部には扉１６が開閉自在にヒンジにより取付けてあるが、この場合、扉１６を開いた際に扉１６がカウンター１４やカウンター１４に設けた水栓金具１３に当たらないように、一定角度以上扉１６が開かないように扉１６の開き角度を規制してある。扉１６の開き角度の規制に当たっては、例えば、ヒンジに一定以上の開き角度となるとそれ以上開くことができないようなストッパ手段を設けることにより構成することができるものである。
【００１８】
また、横長の収納キャビネット１ａ内には鏡１７を取付けるものである。この場合、図６に示すように収納キャビネット１ａに下鏡受け金具１８、上鏡受け金具１９をビスのような固着具２０により固着し、下鏡受け金具１８と上鏡受け金具１９とで鏡１７を上下から挟み込むことで鏡１７を保持しているのである。ここで、合成樹脂の成形品である収納キャビネット１ａは温度により伸縮するが、下鏡受け金具１８、上鏡受け金具１９は殆ど伸縮を発生しない。このため、成形品である収納キャビネット１ａの孔のピッチと下鏡受け金具１８、上鏡受け金具１９に設けた孔のピッチとがずれてくる。このため、下鏡受け金具１８、上鏡受け金具１９が丸孔だと、孔ピッチのずれで合成樹脂の成形品よりなる収納キャビネット１ａに割れた生じるおそれがあり、これを解決するために、図６に示すように下鏡受け金具１８、上鏡受け金具１９の孔を横方向に長い長孔２１として合成樹脂の成形品よりなる収納キャビネット１ａの伸縮を吸収できるようになっている。
【００１９】
【発明の効果】
上記のように本発明の請求項１記載の発明にあっては、合成樹脂製の収納キャビネットに前方が開口する収納部を設け、収納部の対向する内壁部に内方及び前方に開口する嵌め込み溝部を形成し、棚板を嵌め込み溝部にスライド自在に嵌め込むので、簡単な構成により従来のダボによる棚板の支持のようにダボ取付け部分から水が外に漏れるというようなおそれがないものであって、浴室ユニットのような水廻り部分において壁の一部として設けた収納キャビネットに棚板を取付ける場合に特に有効であり、また、嵌め込み溝部の底部に被係止部を設け、下面部の両端部に設けた係止部を被係止部に係止するので、棚板が不測に前方に抜け落ちるのを簡単な構成で確実に防止することができるものである。また、嵌め込み溝部の底部から上方に突部を突設して被係止部を構成し、係止部を棚板の下面部に上方に向けて凹んだ凹部を設けて該凹部により係止部を構成してあるので、簡単な構成で被係止部、係止部を構成することができるものである。また、凹部の後端縁部に棚板の下面部よりも下方に突出した下向き突起を形成して係止部を被係止部５に係止した状態で下向き突起が突部の突出基部に近接対向するように構成するので、係止部を構成する凹部が被係止部を構成する突部に係止するのに加えて下向き突起が突部の突出基部に当たって確実に棚板の抜け止めをすることができるものである。また、嵌め込み溝部を前方の入口側にいくほど上下溝巾を広くしてあるので、嵌め込み溝部の前方の入口から棚板を嵌め込むに当たって、上下巾の広い入口から嵌め込み溝部内に嵌め込むことができて、棚板の嵌め込み溝部への嵌め込みが簡単に行えるものであり、特に、棚板を嵌め込み溝部内に入口から差し込んで係止部と被係止部とを係止するようにしたものの場合、嵌め込み溝部を前方の入口側にいくほど上下溝巾を広くすることで、スムーズに棚板を嵌め込んで係止部を被係止部に係止することができるものである。
【００２０】
また、請求項２記載の発明にあっては、上記請求項１記載の発明の効果に加えて、棚板の前端部に棚板を嵌め込み溝部に嵌め込んだ状態で嵌め込み溝部の前方の入口を覆い隠すためのカバー用突出部を設けてあるので、嵌め込み溝部の前方の入り口をカバー用突出部により覆い隠すことができるものであり、また、棚板の嵌め込みを容易にするために嵌め込み溝部の入り口側の上下巾を広くしたものにおいては嵌め込み溝部の入り口における隙間をカバー用突出部により確実に覆い隠すことができ、外観良いものである。
【図面の簡単な説明】
【図１】  （ａ）は本発明において棚板を取付けた状態を示す側面断面図であり、（ｂ）は正面図である。
【図２】  （ａ）同上の収納部に設けた嵌め込み溝部を示す側面断面図であり、（ｂ）は正面図である。
【図３】  図上の嵌め込み溝部に棚板をはめ込んでいる途中の側面断面図である。
【図４】  同上の嵌め込み溝部に棚板をはめ込んでいる途中の側面断面図である。
【図５】  同上の収納キャビネットを取付けた浴室ユニットを示す平面断面図である。
【図６】  （ａ）は同上の鏡の取付けの例を示す断面図であり、（ｂ）は正面図である。
【符号の説明】
１  収納キャビネット
２  収納部
３  内壁部
４  嵌め込み溝部
５  被係止部
５ａ  突部
６  係止部
６ａ  凹部
７  棚板
８  下向き突起
９  カバー用突出部
【図１】
0004415434.tif 000002
【図２】
0004415434.tif 000003
【図３】
0004415434.tif 000004
【図４】
0004415434.tif 000005
【図５】
0004415434.tif 000006
【図６】
0004415434.tif 000007